Podtech/llm-jp-corpus-v4-ja_patent huggingface dataset:
【手続補正書】
【提出日】平成22年3月17日(2010.3.17)
【手続補正１】
【補正対象書類名】明細書
【補正対象項目名】００１１
【補正方法】変更
【補正の内容】
【００１１】
尚、上述の様な問題は、図５に示した一般的な車輪支持用複列転がり軸受ユニット１でも生じ得るが、特に図６〜７に示した様な、軸方向外側列の転動体６、６ａのピッチ円直径が軸方向内側列の転動体６、６ｂのピッチ円直径よりも大きくなった構造で、顕著になり易い。即ち、上記図６〜７に示した車輪支持用複列転がり軸受ユニット１ａ、１ｂは、ハブ本体３の軸方向外端部の直径が大きくなる為、重量増大の問題を生じ易いにも拘らず、素材からこのハブ本体３を造る際に、フランジ７の根本部分の加工量を多くしにくい。
【手続補正２】
【補正対象書類名】明細書
【補正対象項目名】００２０
【補正方法】変更
【補正の内容】
【００２０】
上述の様な本発明の車輪支持用複列転がり軸受ユニット及びその製造方法によれば、少なくとも、ハブのうちでパイロット部よりも軸方向内側に寄った部分に存在する、強度確保の面から余分な部分の金属材料を除き、軽量化を図れる。
更には、車輪を支持固定する為のフランジの根本部分の強度及び剛性の確保と軽量化とを両立させる事ができる。即ち、ハブの軸方向外端面に開口した凹孔のうちで上記パイロット部よりも軸方向内側に寄った奥部の内径をこのパイロット部の軸方向外端開口部の内径よりも大きくする分、上記ハブの容積を低減してこのハブの軽量化を図れる。又、上記凹孔のうちで上記パイロット部よりも軸方向内側に寄った奥部の内径を押圧ローラの押し付けによる塑性加工（ローリング加工）により拡げれば、この奥部の周囲に存在する、上記フランジ部の根本部分の硬度が高くなり、上記フランジの根本部分の強度及び剛性の確保を図れる。
又、上記フランジと上記パイロット部とが交差している上記根本部分には、使用時に圧縮応力が加わるが、上記奥部の厚さを小さくする事で、この根本部分に加わる圧縮応力を緩和できる。
【手続補正３】
【補正対象書類名】明細書
【補正対象項目名】００２１
【補正方法】変更
【補正の内容】
【００２１】
尚、上記塑性加工による板厚低減は限られており、しかも、板厚が低減しても金属材料が除かれる訳ではないので、上記塑性加工による板厚低減がそのまま軽量化に結び付く事はない。但し、この塑性加工に伴って上記フランジ部の根本部分の硬度が高くなる分、この根本部分の板厚を（塑性変形により小さくなる分以上に）小さくしても、必要とする強度及び剛性を確保できる。従って、予めこの塑性変形させるべき部分の板厚を小さくしておく事で、軽量化を図れる。
【手続補正４】
【補正対象書類名】明細書
【補正対象項目名】００２４
【補正方法】変更
【補正の内容】
【００２４】
上述の様な環状凹部２１を形成する為に本例の場合には、図２に示す様に、この環状凹部２１の軸方向に関する幅Ｗ21よりも外周面の軸方向に関する幅Ｗ22が小さい（Ｗ21＞Ｗ22）、押圧ローラ２２を使用している。上記環状凹部２１を形成する場合には、この押圧ローラ２２を、図２に矢印Ａ、Ｂで示す様に自転及び公転させつつ、塑性変形させるべき部分に倣って、同図に矢印Ｃで示す様に軸方向及び径方向に移動させる。そして、上記環状凹部２１を形成すべき部分を、軸方向全体に亙り、径方向外側に塑性変形させる。尚、上記公転の為には、上記ハブ本体３ａ側を回転させても良い。
【手続補正５】
【補正対象書類名】明細書
【補正対象項目名】００２７
【補正方法】変更
【補正の内容】
【００２７】
又、上記ハブ本体３ａの軸方向中間部で軸方向外側列の内輪軌道８ａを設けた部分の厚さ寸法の変化を小さく抑えられる。この為、図８の（Ａ）に示す様な素材１３から上記中間素材２３を造り、更にこの中間素材２３に上記押圧ローラ２２によるローリング加工を施して上記ハブ本体３ａとする過程で、上記軸方向外側列の内輪軌道８ａを設けた部分のメタルフローの方向を、この内輪軌道８ａの母線の方向に対し平行に近くできる。この為、この内輪軌道８ａの転がり疲れ寿命の確保を図り易くなる。更に、上記フランジ７と前記パイロット部１１とが交差している、このフランジ７の根本部分には、使用時に車輪から加わるモーメントにより、圧縮応力が加わる。本例の場合には、前記環状凹部２１を形成した分、上記根本部分の厚さを、図２の下半部から上半部に示す様に小さくする事で、この根本部分に加わる圧縮応力を緩和できる。
【手続補正６】
【補正対象書類名】明細書
【補正対象項目名】００３０
【補正方法】変更
【補正の内容】
【００３０】
尚、例えば図６〜７に示した構造で、円形凹部２０の奥部で、フランジ７の根本部分よりも更に軸方向内側に寄った部分の内周面部分に存在する金属材料を、旋削等の削り加工により除去する事で、ハブ本体３の軽量化を図る事もできる。
【手続補正７】
【補正対象書類名】明細書
【補正対象項目名】００３２
【補正方法】変更
【補正の内容】
【００３２】
そこで本例の場合には、上記円形凹部２０ａの奥部に座板３０を、締り嵌めで嵌合し、この座板３０により、上記環状凹部２１ａの内径側開口を全周に亙り塞ぐ事で、この環状凹部２１ａ内に異物が入り込まない様にしている。上記座板３０は、炭素鋼、軸受鋼等、熱処理により上記ハブ本体３ｂのうちで少なくとも上記円形凹部２０ａの奥端面部分よりも表面硬度を高くされた金属板で、円輪状に造られている。この様な座板３０の自由状態での外径は、この円形凹部２０ａの奥端部の自由状態での内径よりも僅かに大きくしている。又、軸方向に関する厚さＴ30は、上記環状凹部２１ａの内径側開口の軸方向に関する幅Ｗ21よりも大きく（Ｔ30＞Ｗ21）している。又、上記円形凹部２０ａの奥端面３１は平坦面として、この奥端面３１と上記座板３０の軸方向内側面とを広い面積で当接させられる様にしている。又、この座板３０の内径は、上記駆動軸２８の外径（雄スプラインの歯先円の直径）よりも大きくして、この駆動軸２８を上記座板３０に挿通自在としている。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
画像形成部により第１面に画像が形成されたシートの反対側の第２面に画像を形成するようシートを反転させ、前記画像形成部に再度搬送する画像形成装置において、
シートを搬送するシート搬送部と、
前記シート搬送部の下流側に配置され、前記シート搬送部により搬送されてくるシートを排出するシート排出ローラと、
前記第１面に画像が形成されたシートを再度、前記画像形成部に搬送するための再搬送通路と、
前記シート搬送部と前記シート排出ローラとの間のシート搬送路から分岐して設けられた引込み通路と、
前記引込み通路に設けられ、前記シート搬送部により前記シート搬送路と前記引込み通路との分岐点を経て前記引込み通路に搬送されたシートを引込み通路側に一旦引き込んだ後、反転させて前記再搬送通路に搬送する正逆転可能なシート反転搬送ローラと、
前記第１面に画像が形成されたシートを前記シート反転搬送ローラに導く位置及び前記シート排出ローラに導く位置に選択的に移動する切換部材と、を備え、
前記シート反転搬送ローラを、前記分岐点から前記シート反転搬送ローラまでのシート搬送距離の方が、前記分岐点から前記シート排出ローラまでのシート搬送距離よりも短くなるような位置に設けたことを特徴とする画像形成装置。
【請求項２】
前記シート排出ローラがそれぞれ設けられ、各前記シート排出ローラにより排出されるシートが積載される複数のシート積載部を備え、
前記シート反転搬送ローラを、前記分岐点から前記シート反転搬送ローラまでのシート搬送距離の方が、前記分岐点から前記複数のシート積載部に設けられた各シート排出ローラまでのシート搬送距離よりも短くなるような位置に設けたことを特徴とする請求項１記載の画像形成装置。
【請求項３】
前記シート排出ローラを前記シート反転搬送ローラよりも上方に配置したことを特徴とする請求項１又は２記載の画像形成装置。
【請求項４】
前記引込み通路の下流側に設けられ、前記シート反転搬送ローラにより一旦引き込まれたシートが搬送される反転前搬送路を備え、
前記反転前搬送路を装置本体内部に設けたことを特徴とする請求項１ないし３のいずれか１項に記載の画像形成装置。
【請求項５】
装置本体の側面に設けられ、前記シート排出ローラにより排出されるシートが積載されるシート積載部と、
装置本体内部に設けられ、前記シート搬送部により前記シート排出ローラに向けて搬送されるシートが通過する排紙通路と、を備え、
前記排紙通路に、前記シート搬送部により搬送されたシートを前記シート排出ローラに向けて搬送する搬送ローラ対を備えたことを特徴とする請求項１記載の画像形成装置。
【手続補正２】
【補正対象書類名】明細書
【補正対象項目名】００１６
【補正方法】変更
【補正の内容】
【００１６】
本発明は、画像形成部により第１面に画像が形成されたシートの反対側の第２面に画像を形成するようシートを反転させ、前記画像形成部に再度搬送する画像形成装置において、シートを搬送するシート搬送部と、前記シート搬送部の下流側に配置され、前記シート搬送部により搬送されてくるシートを排出するシート排出ローラと、前記第１面に画像が形成されたシートを再度、前記画像形成部に搬送するための再搬送通路と、前記シート搬送部と前記シート排出ローラとの間のシート搬送路から分岐して設けられた引込み通路と、前記引込み通路に設けられ、前記シート搬送部により前記シート搬送路と前記引込み通路との分岐点を経て前記引込み通路に搬送されたシートを引込み通路側に一旦引き込んだ後、反転させて前記再搬送通路に搬送する正逆転可能なシート反転搬送ローラと、前記第１面に画像が形成されたシートを前記シート反転搬送ローラに導く位置及び前記シート排出ローラに導く位置に選択的に移動する切換部材と、を備え、前記シート反転搬送ローラを、前記分岐点から前記シート反転搬送ローラまでのシート搬送距離の方が、前記分岐点から前記シート排出ローラまでのシート搬送距離よりも短くなるような位置に設けたことを特徴とするものである。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
シートを案内する案内路と、
前記案内路に沿ってシートを搬送する搬送手段と、
前記案内路から分岐してシートを装置外へ案内する排出路と、
前記案内路と前記排出路との分岐点に設けられて、シートを前記案内路と前記排出路とに選択的に切り替える切替手段と、を備え、
前記切替手段は、前記切替手段のシート搬送方向下流へシートを搬送することができない搬送不可情報を得たとき、前記切替手段のシート搬送方向上流の案内路内で搬送可能なシートを前記排出路に案内するように切り替わる、
ことを特徴とするシート搬送装置。
【請求項２】
前記搬送不可情報を得たとき、前記切替手段にシートが重なって存在するか否かを検知するシート検知手段を備え、
前記シート検知手段がシートを検知したとき、前記搬送手段が検知されたシートを前記案内路に沿って前記分岐点のシート搬送方向下流に搬送してから、前記切替手段が前記案内路内で搬送可能なシートを前記排出路に案内するよう切り替わる、
ことを特徴とする請求項１に記載のシート搬送装置。
【請求項３】
前記搬送不可情報は、前記分岐点のシート搬送方向下流の案内路に搬送されたシートに異常があるか否かを検知する異常検知手段から得られる、
ことを特徴とする請求項１又は２に記載のシート搬送装置。
【請求項４】
前記搬送手段が、シートを挟持回転して搬送する複数の回転体対を備え、
前記シート検知手段がシートを検知したとき、前記分岐点のシート搬送方向下流の複数の回転体対の内、少なくとも１つの回転体対がシートを搬送して、残りの回転体対が離間する、
ことを特徴とする請求項２に記載のシート搬送装置。
【請求項５】
シートに画像を形成する画像形成手段と、
前記画像形成手段を通過してシートを搬送する請求項１乃至４のいずれか１項に記載のシート搬送装置と、を備えた、
ことを特徴とする画像形成装置。
【請求項６】
前記画像形成手段によって画像を形成されて前記シート搬送装置によって搬送された画像形成済みのシートを処理するシート処理装置を備え、
前記搬送不可情報が、前記シート処理装置内でシートを搬送することができない情報である、
ことを特徴とする請求項５に記載の画像形成装置。
【請求項７】
前記画像形成手段が、感光体ドラムと転写部とを備え、
前記分岐点のシート搬送方向下流の搬送手段が、前記感光体ドラム及び前記転写部と、前記感光体ドラムと前記転写部との間に搬送するシートの斜行を補正するローラと、前記感光体ドラムと前記転写部とによってトナー画像を形成されたシートに前記トナー画像を定着する定着器とである、
ことを特徴とする請求項５又は６に記載の画像形成装置。
【請求項８】
前記案内路が、シートを収納したカセットから給送されたシートを、前記画像形成手段を通過案内する給紙搬送路と、前記画像形成手段によって画像を形成されたシートを排出案内する排出搬送路と、前記画像形成手段によって一方の面に画像を形成されたシートを反転して再度前記画像形成手段に案内する両面搬送路とを有している、
ことを特徴とする請求項５乃至７のいずれか１項に記載の画像形成装置。
【手続補正２】
【補正対象書類名】明細書
【補正対象項目名】００１４
【補正方法】変更
【補正の内容】
【００１４】
本発明のシート搬送装置は、シートを案内する案内路と、前記案内路に沿ってシートを搬送する搬送手段と、前記案内路から分岐してシートを装置外へ案内する排出路と、前記案内路と前記排出路との分岐点に設けられて、シートを前記案内路と前記排出路とに選択的に切り替える切替手段と、を備え、前記切替手段は、前記切替手段のシート搬送方向下流へシートを搬送することができない搬送不可情報を得たとき、前記切替手段のシート搬送方向上流の案内路内で搬送可能なシートを前記排出路に案内するように切り替わる、ことを特徴としている。
【手続補正３】
【補正対象書類名】明細書
【補正対象項目名】００１５
【補正方法】変更
【補正の内容】
【００１５】
本発明の画像形成装置は、シートに画像を形成する画像形成手段と、前記画像形成手段を通過してシートを搬送する上記のシート搬送装置と、を備えた、ことを特徴としている。
【手続補正４】
【補正対象書類名】明細書
【補正対象項目名】００４０
【補正方法】変更
【補正の内容】
【００４０】
以上の画像形成装置１の動作において、シート処理装置２がシートを受け入れられなくなったときや、レジストローラ対１４８の下流側で異常シートが発生したとき、各搬送路内のシートを外部に排出するのに使用されるのがオートパージ搬送路１９０である。排出路としてのオートパージ搬送路１９０は、レジストローラ対１４８の上流側の分岐点Ｘで案内路としての給紙搬送路１４９から分岐されている。分岐点Ｘには、シートを給紙搬送路１４９の下流側と、オートパージ搬送路１９０とに選択的に切り替える切替手段としてのフラッパ１９５が設けられている。なお、給紙搬送路１４９は、給紙部１４６から、レジストローラ対１４８、転写部１０４、定着器１５０を経て、反転路１７０に至るまでの、エリアＡ，Ｃ（図５）内の搬送路である。
【手続補正書】
【提出日】平成21年12月14日(2009.12.14)
【手続補正１】
【補正対象書類名】特許請求の範囲
【補正対象項目名】全文
【補正方法】変更
【補正の内容】
【特許請求の範囲】
【請求項１】
顔料を含有するインクを用いて、同一の記録対象領域に対して複数回の記録走査を行う画像形成装置であって、
前記記録対象領域で用いるインクの使用量に応じて決まる光沢度を取得する取得手段と、
前記記録対象領域に対して前記複数回の記録走査で記録するドットパターンから、それぞれの記録走査で記録するドットを、前記光沢度に基づいて決定する決定手段と、
記録走査毎に前記決定手段が決定したドットを、該記録走査によって前記記録対象領域に記録する記録手段とを備え、
前記光沢度が第１の光沢度である場合に前記決定手段が記録走査毎に決定したドットの分散度合いは、前記光沢度が前記第１の光沢度よりも低い第２の光沢度である場合に前記決定手段が記録走査毎に決定したドットの分散度合いよりも大きい
ことを特徴とする画像形成装置。
【請求項２】
前記決定手段は、
前記光沢度と予め設定された閾値との大小比較を行い、該大小比較の結果に応じて、前記ドットパターンを構成するそれぞれのドットを記録ドットとするか非記録ドットとするかを規定するマスクパターンを、それぞれの記録走査に対して決定し、
前記記録手段は、記録走査毎に前記決定したマスクパターンが規定する記録ドットを、該記録走査によって前記記録対象領域に記録し、
前記光沢度が前記閾値より高い場合に前記決定したマスクパターンが規定する記録ドットの分散度合いは、前記光沢度が前記閾値より低い場合に前記決定したマスクパターンが規定する記録ドットの分散度合いよりも大きい
ことを特徴とする請求項１に記載の画像形成装置。
【請求項３】
更に、
前記記録ドットの分散の度合いが同じで、互いに補完の関係にある複数のマスクパターンの組を、該度合いが異なる組毎に格納するマスクパターン格納手段を備え、
前記決定手段は、前記大小比較の結果に応じた組を前記マスクパターン格納手段から選択し、選択した組内のマスクパターンを、前記記録走査毎に切替えて用い、
前記光沢度が前記閾値より高い場合に前記マスクパターン格納手段から選択した組を高分散組とし、前記光沢度が前記閾値より低い場合に前記マスクパターン格納手段から選択した組を低分散組とした場合に、前記高分散組内のマスクパターンが規定する記録ドットの分散の度合いは、前記低分散組内のマスクパターンが規定する記録ドットの分散の度合いよりも大きい
ことを特徴とする請求項２に記載の画像形成装置。
【請求項４】
前記マスクパターン格納手段は、中間分散組内のマスクパターンが規定する記録ドットの分散の度合いが、前記高分散組内のマスクパターンが規定する記録ドットの分散の度合いと前記低分散組内のマスクパターンが規定する記録ドットの分散の度合いとの中間の度合いとなる前記中間分散組と、前記高分散組と、前記低分散組と、を格納しており、
前記決定手段は、前記光沢度が前記閾値より高い場合には、前記高分散組と前記中間分散組と、を選択し、選択したそれぞれの組から選択したマスクパターンを混在させ、該混在させたマスクパターンを、前記記録対象領域用のマスクパターンとして決定し、
前記決定手段は、前記光沢度が前記閾値より低い場合には、前記低分散組と前記中間分散組と、を選択し、選択したそれぞれの組から選択したマスクパターンを混在させ、該混在させたマスクパターンを、前記記録対象領域用のマスクパターンとして決定する
ことを特徴とする請求項３に記載の画像形成装置。
【請求項５】
前記高分散組は、該高分散組における複数のマスクパターンを用いて前記記録手段が記録したドットが隣接しないようなマスクパターンの組であることを特徴とする請求項３又は４に記載の画像形成装置。
【請求項６】
前記低分散組は、該低分散組における複数のマスクパターンを用いて前記記録手段が記録したドットのうち少なくとも２つが隣接するようなマスクパターンの組であることを特徴とする請求項３又は４に記載の画像形成装置。
【請求項７】
前記決定手段は、前記記録対象領域に対して記録を行うために用いる全てのインクに対して前記マスクパターンを決定することを特徴とする請求項２乃至６の何れか１項に記載の画像形成装置。
【請求項８】
顔料を含有するインクを用いて、同一の記録対象領域に対して複数回の記録走査を行う画像形成装置の制御方法であって、
前記記録対象領域で用いるインクの使用量に応じて決まる光沢度を取得する取得工程と、
前記記録対象領域に対して前記複数回の記録走査で記録するドットパターンから、それぞれの記録走査で記録するドットを、前記光沢度に基づいて決定する決定工程と、
記録走査毎に前記決定工程で決定したドットを、該記録走査によって前記記録対象領域に記録する記録工程とを備え、
前記光沢度が第１の光沢度である場合に前記決定工程で記録走査毎に決定したドットの分散度合いは、前記光沢度が前記第１の光沢度よりも低い第２の光沢度である場合に前記決定工程で記録走査毎に決定したドットの分散度合いよりも大きい
ことを特徴とする画像形成装置の制御方法。
【手続補正２】
【補正対象書類名】明細書
【補正対象項目名】００１９
【補正方法】変更
【補正の内容】
【００１９】
すなわち、顔料を含有するインクを用いて、同一の記録対象領域に対して複数回の記録走査を行う画像形成装置であって、
前記記録対象領域で用いるインクの使用量に応じて決まる光沢度を取得する取得手段と、
前記記録対象領域に対して前記複数回の記録走査で記録するドットパターンから、それぞれの記録走査で記録するドットを、前記光沢度に基づいて決定する決定手段と、
記録走査毎に前記決定手段が決定したドットを、該記録走査によって前記記録対象領域に記録する記録手段とを備え、
前記光沢度が第１の光沢度である場合に前記決定手段が記録走査毎に決定したドットの分散度合いは、前記光沢度が前記第１の光沢度よりも低い第２の光沢度である場合に前記決定手段が記録走査毎に決定したドットの分散度合いよりも大きい
ことを特徴とする。
【手続補正３】
【補正対象書類名】明細書
【補正対象項目名】００２０
【補正方法】削除
【補正の内容】
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
各々が顔料を含有する複数の色材を用いて、記録媒体の搬送方向に並ぶ複数の記録素子で構成される記録素子列を前記複数の色材の数分備える記録ヘッドを、前記記録媒体上の同一画像領域において前記搬送方向とは直交する方向に複数回記録走査させることにより画像を形成する画像形成装置であって、
画像領域の色を表し、前記複数の色材の各々に対応する複数の色材データを入力する入力手段と、
前記複数の色材データに対応する前記複数の色材の組合せに基づき、前記記録素子列を構成する複数の記録素子群に前記複数の色材データの各々を割り当てる割当手段と、
前記割り当てられた色材データを用いて前記画像領域に対して前記記録ヘッドを複数回記録走査させる走査手段と、
を備え、
前記割当手段は、前記複数の記録素子群のうち、記録媒体に先行して記録する記録素子群に対して前記組合せのうち相対的に低明度の色材に対応する色材データを割り当て、前記先行して記録する記録素子群よりも遅延して記録する記録素子群に対して前記組合せのうち相対的に高明度の色材に対応する色材データを割り当てることを特徴とする画像形成装置。
【請求項２】
前記割当手段は、前記複数の色材に無彩色の色材が含まれるとき、該無彩色に対応する色材データのみを前記先行して記録する記録素子群に割り当てることを特徴とする請求項１に記載の画像形成装置。
【請求項３】
前記複数の記録素子群は、前記記録素子列の各々において、各々が互いに共通しない記録素子を有することを特徴とする請求項１または２に記載の画像形成装置。
【請求項４】
前記複数の記録素子群の数は、前記色材の数以下であることを特徴とする請求項１乃至３の何れか一項に記載の画像形成装置。
【請求項５】
前記複数の記録素子群の各々に対応し該記録素子群内の記録素子を前記複数の記録走査に割り振るマスクパターンを記憶する記憶手段を更に備え、
前記割当手段は、前記マスクパターンを用いて前記複数の記録素子群の各々に前記複数の色材データの各々を割り当てることを特徴とする請求項１乃至４の何れか一項に記載の画像形成装置。
【請求項６】
前記割当手段は、前記複数の色材と前記複数の記録素子群との対応関係を保持する保持手段を備え、
前記組合せと前記対応関係とから得られる複数の記録素子群の各々に前記複数の色材データの各々を割り当てることを特徴とする請求項１乃至５の何れか一項に記載の画像形成装置。
【請求項７】
各々が顔料を含有する複数の色材を用いて、記録媒体の搬送方向に並ぶ複数の記録素子で構成される記録素子列を前記複数の色材の数分備える記録ヘッドを、前記記録媒体上の同一画像領域において前記搬送方向とは直交する方向に複数回記録走査させることにより画像を形成する画像形成装置の制御方法であって、
画像領域の色を表し、前記複数の色材の各々に対応する複数の色材データを入力する入力工程と、
前記複数の色材データに対応する前記複数の色材の組合せに基づき、前記記録素子列を構成する複数の記録素子群に前記複数の色材データの各々を割り当てる割当工程と、
前記割り当てられた色材データを用いて前記画像領域に対して前記記録ヘッドを複数回記録走査させる走査工程と、
を備え、
前記割当工程では、前記複数の記録素子群のうち、記録媒体に先行して記録する記録素子群に対して前記組合せのうち相対的に低明度の色材に対応する色材データを割り当て、前記先行して記録する記録素子群よりも遅延して記録する記録素子群に対して前記組合せのうち相対的に高明度の色材に対応する色材データを割り当てることを特徴とする画像形成装置の制御方法。
【請求項８】
コンピュータを、請求項１乃至６の何れか一項に記載された画像形成装置の各手段として機能させるためのプログラム。
【手続補正２】
【補正対象書類名】明細書
【補正対象項目名】発明の名称
【補正方法】変更
【補正の内容】
【発明の名称】画像形成装置およびその制御方法
【手続補正３】
【補正対象書類名】明細書
【補正対象項目名】００１２
【補正方法】変更
【補正の内容】
【００１２】
上述の１以上の問題点を解決するために、本発明の画像形成装置は以下の構成を備える。すなわち、各々が顔料を含有する複数の色材を用いて、記録媒体の搬送方向に並ぶ複数の記録素子で構成される記録素子列を前記複数の色材の数分備える記録ヘッドを、前記記録媒体上の同一画像領域において前記搬送方向とは直交する方向に複数回記録走査させることにより画像を形成する画像形成装置において、画像領域の色を表し、前記複数の色材の各々に対応する複数の色材データを入力する入力手段と、前記複数の色材データに対応する前記複数の色材の組合せに基づき、前記記録素子列を構成する複数の記録素子群に前記複数の色材データの各々を割り当てる割当手段と、前記割り当てられた色材データを用いて前記画像領域に対して前記記録ヘッドを複数回記録走査させる走査手段と、を備え、前記割当手段は、前記複数の記録素子群のうち、記録媒体に先行して記録する記録素子群に対して前記組合せのうち相対的に低明度の色材に対応する色材データを割り当て、前記先行して記録する記録素子群よりも遅延して記録する記録素子群に対して前記組合せのうち相対的に高明度の色材に対応する色材データを割り当てる。
【手続補正４】
【補正対象書類名】明細書
【補正対象項目名】００１３
【補正方法】変更
【補正の内容】
【００１３】
上述の１以上の問題点を解決するために、本発明の画像形成装置の制御方法は以下の構成を備える。すなわち、各々が顔料を含有する複数の色材を用いて、記録媒体の搬送方向に並ぶ複数の記録素子で構成される記録素子列を前記複数の色材の数分備える記録ヘッドを、前記記録媒体上の同一画像領域において前記搬送方向とは直交する方向に複数回記録走査させることにより画像を形成する画像形成装置の制御方法において、画像領域の色を表し、前記複数の色材の各々に対応する複数の色材データを入力する入力工程と、前記複数の色材データに対応する前記複数の色材の組合せに基づき、前記記録素子列を構成する複数の記録素子群に前記複数の色材データの各々を割り当てる割当工程と、前記割り当てられた色材データを用いて前記画像領域に対して前記記録ヘッドを複数回記録走査させる走査工程と、を備え、前記割当工程では、前記複数の記録素子群のうち、記録媒体に先行して記録する記録素子群に対して前記組合せのうち相対的に低明度の色材に対応する色材データを割り当て、前記先行して記録する記録素子群よりも遅延して記録する記録素子群に対して前記組合せのうち相対的に高明度の色材に対応する色材データを割り当てる。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正書】
【提出日】平成22年2月15日(2010.2.15)
【手続補正１】
【補正対象書類名】特許請求の範囲
【補正対象項目名】全文
【補正方法】変更
【補正の内容】
【特許請求の範囲】
【請求項１】
各々が顔料を含有する複数の色材を用いて、記録媒体の搬送方向に並ぶ複数の記録素子で構成される記録素子列を前記複数の色材の数分備える記録ヘッドを、前記記録媒体上の同一画像領域において前記搬送方向とは直交する方向に少なくとも１回記録走査させることにより画像を形成する画像形成装置であって、
画像領域の色を表す色材データと該画像領域に対する光沢度とを入力する入力手段と、
前記複数の記録素子の１以上の記録素子を、前記入力された光沢度に応じて前記画像領域に対する記録走査に割り当てる割当手段と、
前記割り当てられた１以上記録素子と前記色材データとを用いて前記画像領域に対して前記記録ヘッドを記録走査させる走査手段と、
を備えることを特徴とする画像形成装置。
【請求項２】
前記割当手段は、所定の光沢度が入力された画像領域に対する前記記録走査の回数が、該所定の光沢度より低い光沢度が入力された画像領域に対する前記記録走査の回数よりも少なくなるよう割り当てることを特徴とする請求項１に記載の画像形成装置。
【請求項３】
前記画像領域に対応する光沢度を前記色材データと独立して指定する指定手段を更に備え、
前記入力手段により入力される光沢度は、前記指定手段により指定される光沢度であることを特徴とする請求項１または２に記載の画像形成装置。
【請求項４】
前記記録素子を前記記録走査に割り当てるマスクパターンを記憶する記憶手段を更に備え、
前記割当手段は、前記マスクパターンを用いて前記１以上の記録素子を前記画像領域に対する記録走査に割り当てることを特徴とする請求項１乃至３の何れか一項に記載の画像形成装置。
【請求項５】
前記複数の色材は、同一色相かつ互いに光沢度の異なる複数の色材を含み、
前記割当手段は、少なくとも１つの光沢度に対しては、同一色相の光沢度の高い色材と光沢度の低い色材とのそれぞれに対して同じ記録素子を割り当てることを特徴とする請求項１乃至４のいずれか一項に記載の画像形成装置。
【請求項６】
前記割当手段は、所定の光沢度が入力された画像領域に対して記録する記録素子の記録率が、該所定の光沢度より低い光沢度が入力された画像領域に対して記録する記録素子の記録率よりも高くなるよう割り当てることを特徴とする請求項１乃至５のいずれか一項に記載の画像形成装置。
【請求項７】
前記割当手段は、所定の光沢度が入力された画像領域に対して記録する記録素子を、該所定の光沢度より低い光沢度が入力された画像領域に対して記録する記録素子よりも先行して記録する記録素子に割り当てることを特徴とする請求項１に記載の画像形成装置。
【請求項８】
各々が顔料を含有する複数の色材を用いて、記録媒体の搬送方向に並ぶ複数の記録素子で構成される記録素子列を前記複数の色材の数分備える記録ヘッドを、前記記録媒体上の同一画像領域において前記搬送方向とは直交する方向に少なくとも１回記録走査させることにより画像を形成する画像形成装置の制御方法であって、
画像領域の色を表す色材データと該画像領域に対する光沢度とを入力する入力工程と、
前記複数の記録素子の１以上の記録素子を、前記入力された光沢度に応じて前記画像領域に対する記録走査に割り当てる割当工程と、
前記割り当てられた１以上記録素子と前記色材データとを用いて前記画像領域に対して前記記録ヘッドを記録走査させる走査工程と、
を備えることを特徴とする画像形成装置の制御方法。
【請求項９】
コンピュータを、請求項１乃至７の何れか一項に記載された画像形成装置の各手段として機能させるためのプログラム。
【手続補正２】
【補正対象書類名】明細書
【補正対象項目名】００１０
【補正方法】変更
【補正の内容】
【００１０】
上述の１以上の問題点を解決するために、本発明の画像形成装置は以下の構成を備える。すなわち、各々が顔料を含有する複数の色材を用いて、記録媒体の搬送方向に並ぶ複数の記録素子で構成される記録素子列を前記複数の色材の数分備える記録ヘッドを、前記記録媒体上の同一画像領域において前記搬送方向とは直交する方向に少なくとも１回記録走査させることにより画像を形成する画像形成装置において、画像領域の色を表す色材データと該画像領域に対する光沢度とを入力する入力手段と、前記複数の記録素子の１以上の記録素子を、前記入力された光沢度に応じて前記画像領域に対する記録走査に割り当てる割当手段と、前記割り当てられた１以上記録素子と前記色材データとを用いて前記画像領域に対して前記記録ヘッドを記録走査させる走査手段と、を備える。
【手続補正３】
【補正対象書類名】明細書
【補正対象項目名】００１１
【補正方法】変更
【補正の内容】
【００１１】
上述の１以上の問題点を解決するために、本発明の画像形成装置の制御方法は以下の構成を備える。すなわち、各々が顔料を含有する複数の色材を用いて、記録媒体の搬送方向に並ぶ複数の記録素子で構成される記録素子列を前記複数の色材の数分備える記録ヘッドを、前記記録媒体上の同一画像領域において前記搬送方向とは直交する方向に少なくとも１回記録走査させることにより画像を形成する画像形成装置の制御方法において、画像領域の色を表す色材データと該画像領域に対する光沢度とを入力する入力工程と、前記複数の記録素子の１以上の記録素子を、前記入力された光沢度に応じて前記画像領域に対する記録走査に割り当てる割当工程と、前記割り当てられた１以上記録素子と前記色材データとを用いて前記画像領域に対して前記記録ヘッドを記録走査させる走査工程と、を備える。
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正書】
【提出日】平成21年12月25日(2009.12.25)
【手続補正１】
【補正対象書類名】特許請求の範囲
【補正対象項目名】全文
【補正方法】変更
【補正の内容】
【特許請求の範囲】
【請求項１】
インクジェットヘッドの有するノズルをキャップで覆い、負圧を発生させて液体を吸引するメンテナンス方法において、
インクジェットヘッドと当接する弾性体からなる当接部材（２１）と、当接部材が固着されるフレーム（２２）と、フレーム（２２）を可動自在に支持する弾性体からなる支持部材（２３）とを有するキャップを設け、
キャップとインクジェットの当接面とを密着させた状態で液体を吸引することを特徴とするインクジェットヘッドのメンテナンス方法。
【請求項２】
前記当接部材（２１）が、ショアＡ硬度４０〜８０度のゴム状弾性体で構成されることを特徴とする請求項１のインクジェットヘッドのメンテナンス方法。
【請求項３】
前記支持部材（２３）が、針入度が４０〜８０となる弾性体で構成されることを特徴とする請求項１または２のインクジェットヘッドのメンテナンス方法。
【請求項４】
インクジェットヘッドの有するノズルをキャップで覆い、負圧を発生させて液体を吸引するメンテナンス機構であって、
インクジェットヘッドと当接してノズルを覆うキャップと、負圧をキャップに発生させる負圧発生手段と、キャップおよび負圧発生手段と連通する廃液タンクと、キャップとインクジェットヘッドを当接ないし非当接させるキャップ開閉手段と、インクジェットヘッドと連通するインク貯留部と、これらの作動を制御する制御手段とを備え、
前記キャップは、インクジェットヘッドと当接する弾性体からなる当接部材（２１）と、当接部材が固着されるフレーム（２２）と、フレーム（２２）を可動自在に支持する弾性体からなる支持部材（２３）とを有することを特徴とするインクジェットヘッドのメンテナンス機構。
【請求項５】
前記当接部材（２１）が、ショアＡ硬度４０〜８０度のゴム状弾性体で構成されることを特徴とする請求項４のインクジェットヘッドのメンテナンス機構。
【請求項６】
前記支持部材（２３）が、針入度が４０〜８０となる弾性体で構成されることを特徴とする請求項４または５のインクジェットヘッドのメンテナンス機構。
【手続補正２】
【補正対象書類名】明細書
【補正対象項目名】００２６
【補正方法】変更
【補正の内容】
【００２６】
本実施例におけるメンテナンスの手順の詳細を図４に沿って説明する。以下では、インクカートリッジ装着・交換時（初期時やインク補給時）の充填フローについて説明する。
《第１フェーズ》
まず、インク３１を連通部材９に充填する。液体切替手段４の第１のバルブ４１を開、第２のバルブ４２を閉状態とし（ＳＴＥＰ１）、予め設定された時間に基づいて負圧発生手段５を起動してキャップ２内を負圧としてインク３１を連結部材９へ導く（ＳＴＥＰ２）。負圧の発生を予め設定された時間行うことにより、インク３１が連通部材９の第１のバルブ４１の部分まで充填される（ＳＴＥＰ３）。ここで、予め設定された時間とは、インク３１が第１のタンク１１から連通部材９の第１のバルブ４１に到達するまでの時間とする。予め設定された時間の経過後、負圧の発生を停止することにより、キャップ２内が大気圧に戻り、吸引が停止される（ＳＴＥＰ４）。なお、第１フェーズにおける負圧の発生の停止は、負圧の変化を緩やかに生じさせるものである必要はない。
《第２フェーズ》
次に、低粘性液体３２をノズル６に充填する。液体切替手段４の第１のバルブ４１を閉、第２のバルブ４２を開状態とし（ＳＴＥＰ５）、予め設定された時間に基づいて負圧発生手段５を起動してキャップ２内を負圧として低粘性液体３２の充填を行う（ＳＴＥＰ６）。負圧の発生を予め設定された時間行うことにより、低粘性液体３２が連通部材９に充填された後、インクジェットヘッド１に充填される（ＳＴＥＰ７）。ここで、予め設定された時間とは、低粘性液体３２がノズル６の先端から確実に排出される時間とする。予め設定された時間の経過後、負圧の発生を停止することにより、キャップ２内が大気圧に戻り、吸引が停止される（ＳＴＥＰ８）。なお、第２フェーズにおける負圧の発生の停止は、負圧の変化を緩やかに生じさせるものである必要はない。
《第３フェーズ》
最後に、インク３１をノズル６に充填する。液体切替手段４の第１のバルブ４１を開、第２のバルブ４２を閉状態とし（ＳＴＥＰ９）、予め設定された時間と信号波形に基づいて負圧発生手段５を起動してキャップ２内を負圧として第１のバルブ４１まで充填されたインク３１をインクジェットヘッド１へ導く（ＳＴＥＰ１０）。負圧の発生を予め設定された時間行うことにより、インク３１がインクジェットヘッド１に充填される（ＳＴＥＰ１１）。ここで、予め設定された時間とは、インク３１がノズル６の先端から確実に排出される時間とする。予め設定された時間の経過後、予め設定された信号波形に基づいて負圧の発生を緩やかに停止することにより、キャップ２内が緩やかに大気圧に戻り、吸引が停止される（ＳＴＥＰ１２）。ここで、予め設定された信号波形としては、上述のＳｉｎ波形が開示されるが、これに限定されない。
【手続補正書】
【提出日】平成21年12月8日(2009.12.8)
【手続補正１】
【補正対象書類名】特許請求の範囲
【補正対象項目名】全文
【補正方法】変更
【補正の内容】
【特許請求の範囲】
【請求項１】
ノズルを有し、５ｋＨｚ以上の駆動周波数で駆動されて前記ノズルから白色インクを記録媒体に吐出する白色インク用記録ヘッドと、
ノズルを有し、前記ノズルから前記白色インク以外の色の基本色インクを記録媒体に吐出する基本色インク用記録ヘッドとを備え、
前記白色インクは色材としての酸化チタンを含み、かつ、前記白色インクの比重が前記基本色インクの比重より５％以上大きいものであって、
インク吐出時において、前記白色インク用記録ヘッドのノズルの負圧が前記基本色インク用記録ヘッドのノズルの負圧より大きくなるように設定されていることを特徴とするインクジェット記録装置。
【請求項２】
請求項１記載のインクジェット記録装置において、
前記白色インク用記録ヘッドのノズル径が３０μｍ以下であることを特徴とするインクジェット記録装置。
【請求項３】
請求項１又は２に記載のインクジェット記録装置において、
前記基本色インクには、シアン、マゼンタ、イエロー、黒の４色のインクが含まれていることを特徴とするインクジェット記録装置。
【請求項４】
請求項１〜３のいずれか一項に記載のインクジェット記録装置において、
前記白色インクは、紫外線硬化型インクであることを特徴とするインクジェット記録装置。
【請求項５】
請求項１〜４のいずれか一項に記載のインクジェット記録装置において、
前記白色インク用記録ヘッドを加熱する加熱手段を備えていることを特徴とするインクジェット記録装置。
【請求項６】
請求項１〜５のいずれか一項に記載のインクジェット記録装置において、
前記白色インク用記録ヘッドのノズルの負圧が前記基本色インク用記録ヘッドのノズルの負圧より１０％大きくなるように設定されていることを特徴とするインクジェット記録装置。
【請求項７】
請求項１〜６のいずれか一項に記載のインクジェット記録装置において、
前記白色インク用記録ヘッドの駆動周波数と前記基本色インク用記録ヘッドの駆動周波数が同じであることを特徴とするインクジェット記録装置。
【手続補正２】
【補正対象書類名】明細書
【補正対象項目名】００１９
【補正方法】変更
【補正の内容】
【００１９】
本発明の課題は、以下のような構成により解決される。
１．
ノズルを有し、５ｋＨｚ以上の駆動周波数で駆動されて前記ノズルから白色インクを記録媒体に吐出する白色インク用記録ヘッドと、
ノズルを有し、前記ノズルから前記白色インク以外の色の基本色インクを記録媒体に吐出する基本色インク用記録ヘッドとを備え、
前記白色インクは色材としての酸化チタンを含み、かつ、前記白色インクの比重が前記基本色インクの比重より５％以上大きいものであって、
インク吐出時において、前記白色インク用記録ヘッドのノズルの負圧が前記基本色インク用記録ヘッドのノズルの負圧より大きくなるように設定されていることを特徴とするインクジェット記録装置。
２．
前記１記載のインクジェット記録装置において、
前記白色インク用記録ヘッドのノズル径が３０μｍ以下であることを特徴とするインクジェット記録装置。
３．
前記１又は２に記載のインクジェット記録装置において、
前記基本色インクには、シアン、マゼンタ、イエロー、黒の４色のインクが含まれていることを特徴とするインクジェット記録装置。
４．
前記１〜３のいずれか一項に記載のインクジェット記録装置において、
前記白色インクは、紫外線硬化型インクであることを特徴とするインクジェット記録装置。
５．
前記１〜４のいずれか一項に記載のインクジェット記録装置において、
前記白色インク用記録ヘッドを加熱する加熱手段を備えていることを特徴とするインクジェット記録装置。
６．
前記１〜５のいずれか一項に記載のインクジェット記録装置において、
前記白色インク用記録ヘッドのノズルの負圧が前記基本色インク用記録ヘッドのノズルの負圧より１０％大きくなるように設定されていることを特徴とするインクジェット記録装置。
７．
前記１〜６のいずれか一項に記載のインクジェット記録装置において、
前記白色インク用記録ヘッドの駆動周波数と前記基本色インク用記録ヘッドの駆動周波数が同じであることを特徴とするインクジェット記録装置。
【手続補正書】
【提出日】平成21年12月18日(2009.12.18)
【手続補正１】
【補正対象書類名】特許請求の範囲
【補正対象項目名】全文
【補正方法】変更
【補正の内容】
【特許請求の範囲】
【請求項１】
下記一般式で示されることを特徴とするカルバゾール化合物。
【化１】
2008162910.tif 000001
（式中、Ｒは何れも同じであり、水素原子、メチル基、エチル基、プロピル基のいずれかである。）
【請求項２】
陽極及び陰極からなる一対の電極と、該一対の電極間に設けられた少なくとも一層の有機化合物を含む層とから構成される有機発光素子において、該有機化合物を含む層のうち少なくとも一層が、請求項１に記載のカルバゾール化合物を少なくとも１種含有することを特徴とする有機発光素子。
【請求項３】
前記有機化合物を含む層のうち発光層が、前記カルバゾール化合物を少なくとも１種含有する層であることを特徴とする請求項２に記載の有機発光素子。
【手続補正２】
【補正対象書類名】明細書
【補正対象項目名】０００９
【補正方法】変更
【補正の内容】
【０００９】
本発明のカルバゾール化合物は、下記一般式で示されることを特徴とする。
【手続補正３】
【補正対象書類名】明細書
【補正対象項目名】００１０
【補正方法】変更
【補正の内容】
【００１０】
【化１】
2008162910.tif 000002
（式中、Ｒは何れも同じであり、水素原子、メチル基、エチル基、プロピル基のいずれかである。）
【手続補正書】
【提出日】平成22年3月10日(2010.3.10)
【手続補正１】
【補正対象書類名】特許請求の範囲
【補正対象項目名】全文
【補正方法】変更
【補正の内容】
【特許請求の範囲】
【請求項１】
ノズルに対向する圧力室、前記圧力室と連通する上流ポート及び下流ポートを有するインクジェットヘッドと、
前記上流ポートを介して前記インクジェットヘッドと連通し、インクを貯留可能なメインタンクと、
前記下流ポートを介して前記インクジェットヘッドと連通し、インクを貯留可能なサブタンクと、を備え、
前記インクジェットヘッドの前記ノズルが形成されたオリフィスプレートの表面から見た前記メインタンクのポテンシャル圧力をｐｈとし、前記メインタンクから前記インクジェットヘッドを経由して前記サブタンクに至る総流路抵抗をＲとし、前記メインタンクから前記ノズルまでの流路抵抗と前記ノズルから前記サブタンクまでの流路抵抗の比を１：ｒとし、前記インクジェットヘッド、前記メインタンク、及び前記サブタンクを連通して構成される循環路を循環するインクの流量をＱとしたとき、これらｐｈ、ｒ、Ｒ及びＱの関係が、少なくとも前記ノズルからインクを吐出して印刷する際に、ｐｈ−｛ＱＲ×（１／（１＋ｒ））｝＝Ｐｎ（但し、Ｐｎはノズルでの適正メニスカス圧力を示す定数）を満たすように保持されることを特徴とするインクジェット記録装置。
【請求項２】
前記メインタンク及び前記サブタンクは、前記ノズルよりも上方に設置されていることを特徴とする請求項１記載のインクジェット記録装置。
【請求項３】
前記Ｐｎは、０≧Ｐｎ≧−３，０００Ｐａであることを特徴とする請求項１記載のインクジェット記録装置。
【請求項４】
前記メインタンクは、液面が大気に開放された下部タンクと、前記下部タンクと通気路及びインク供給路を介して連通されている上部タンクと、を備えたことを特徴とする請求項１記載のインクジェット記録装置。
【請求項５】
前記インクジェットヘッド、前記メインタンク、及び前記サブタンクを連通して構成される循環路においてインクを循環させるとともに、インクの流量を調節可能に構成されたインク送り機構を備えたことを特徴とする請求項１記載のインクジェット記録装置。
【請求項６】
前記メインタンクの高さが調節可能であり、前記高さの調節により前記式を保持可能であることを特徴とする請求項１記載のインクジェット記録装置。
【請求項７】
前記サブタンクの液面を、選択的に、大気圧に開放し、あるいは密閉することが可能なバルブを備えたことを特徴とする請求項１記載のインクジェット記録装置。
【請求項８】
前記式におけるノズルのメニスカス圧力の適正値は、前記インクジェットヘッドからのインク滴下、ノズルへの空気引き込みを防止しうる範囲に設定されることを特徴とする請求項１記載のインクジェット記録装置。
【請求項９】
前記式におけるノズルのメニスカス圧力の適正値は、前記インクジェットヘッドに振動が加えられた際に、前記インクジェットヘッドからのインク滴下、ノズルへの空気引き込みを防止しうる範囲に設定されることを特徴とする請求項１記載のインクジェット記録装置。
【請求項１０】
前記メインタンクと前記上流ポートとを連通する導管を備え、該導管は循環路を開閉可能な弁を備えたことを特徴とする請求項１記載のインクジェット記録装置。
【請求項１１】
前記流量を検出する検出器と、前記検出器の検出結果に応じて前記式を満たすように前記流量を調節する制御装置とを備えたことを特徴とする請求項１記載のインクジェット記録装置。
【請求項１２】
ノズルに対向する圧力室、前記圧力室と連通する上流ポート及び下流ポートを有するインクジェットヘッドと、
前記上流ポートを介して前記インクジェットヘッドと連通し、インクを貯留可能なメインタンクと、
前記下流ポートを介して前記インクジェットヘッドと連通し、インクを貯留可能なサブタンクと、を備え、
前記インクジェットヘッドの前記ノズルか形成されたオリフィスプレートの表面から見た前記メインタンクのポテンシャル圧力をｐｈとし、前記メインタンクから前記インクジェットヘッドを経由して前記サブタンクに至る総流路抵抗をＲとし、前記メインタンクから前記ノズルまでの流路抵抗と前記ノズルから前記サブタンクまでの流路抵抗の比を１：ｒとし、前記インクジェットヘッド、前記メインタンク、及び前記サブタンクを連通して構成される循環路を循環するインクの流量をＱとしたとき、これらの関係が、少なくとも前記ノズルからインクを吐出して印字する際に、ｐｈ−｛ＱＲ×（１／（１＋ｒ））｝＝Ｐｎ（但し、Ｐｎはノズルでの適正メニスカス圧力を示す定数）を満たすように保持されることを特徴とする４インク供給機構。
【請求項１３】
ノズルに対向する圧力室、前記圧力室と連通する上流ポート及び下流ポートを有するインクジェットヘッドと、前記上流ポートを介して前記インクジェットヘッドと連通するとともにインクを貯留可能なメインタンクと、前記下流ポートを介して前記インクジェットヘッドと連通するとともにインクを貯留可能なサブタンクと、が連通されて構成される循環路において、前記インクジェットヘッドの前記ノズルが形成されたオリフィスプレートの表面から見た前記メインタンクのポテンシャル圧力をｐｈとし、前記メインタンクから前記インクジェットヘッドを経由して前記サブタンクに至る総流路抵抗をＲとし、前記メインタンクから前記ノズルまでの流路抵抗と前記ノズルから前記サブタンクまでの流路抵抗の比を１：ｒとし、前記インクジェットヘッド、前記メインタンク、及び前記サブタンクを連通して構成される循環路を循環するインクの流量をＱとしたとき、これらの関係が、少なくとも前記ノズルからインクを吐出して印字する際に、ｐｈ−｛ＱＲ×（１／（１＋ｒ））｝＝Ｐｎ（但し、Ｐｎはノズルでの適正メニスカス圧力を示す定数）を満たす状態で、インクを循環させることを特徴とするインクジェット記録方法。
【手続補正２】
【補正対象書類名】明細書
【補正対象項目名】００３９
【補正方法】変更
【補正の内容】
【００３９】
ここで、ノズル１７からインク２０が漏れることなく、ノズル１７から空気を引き込むこともなく、かつ、適切な吐出液滴形状を得ることができ、メニスカスが形成され得る適正なメニスカス圧力の範囲は、例えば、大気圧より若干低い、０≧Ｐｎ≧−３ｋｐａである。上記ノズル１７のメニスカス圧力ｌＶｍ１〜ｌＶｍ６は、Ｉｉｊ１〜Ｉｉｊ６＝０の場合との差が小さく、いずれも上記適正な圧力の範囲である。